(57)【要約】      （修正有）【課題】振動ユニットの運動軌跡が制限されるリニア振動モータの提供。【解決手段】リニア振動モータ１００は、収容スペースが設けられているケース１と、この収容スペースに収容されている振動ユニット２と、このリニア振動モータ１００の振動方向であってケース１と振動ユニット２の間にある弾性体とを含み、リニア振動モータ１００は、ガイドピン４をさらに含み、このガイドピン４は、リニア振動モータ１００の振動方向においてケース１と振動ユニット２の間に置かれて、このガイドピン４の一端はケース１に接触し、他の一端は軸受によって振動ユニット２に接続され、振動ユニット２は、このガイドピン４に沿って往復運動を行う。それによって、振動ユニット２の運動軌跡が制限されて、振動ユニット２が振動中に上下方向に変位することができなくなる。【選択図】図１
2017011984.tif 000002
【特許請求の範囲】
【請求項１】
収容スペースが設けられているケースと、
前記収容スペースに収容されている振動ユニットとを含むリニア振動モータであって、
前記リニア振動モータは、前記リニア振動モータの振動方向であって前記ケースと前記振動ユニットとの間にある弾性体を含んでおり、
前記リニア振動モータは、ガイドピンをさらに含み、
前記ガイドピンは、前記リニア振動モータの振動方向において前記ケースと前記振動ユニットの間に置かれており、
前記ガイドピンは、軸受によって前記振動ユニットに接触し、
前記振動ユニットは、前記ガイドピンに沿って往復運動を行うことを特徴とするリニア振動モータ。
【請求項２】
前記振動ユニットは、振動方向において前記振動ユニットの両端にある質量ブロックと、前記質量ブロックの間に置かれる磁気回路機構とを含み、前記ガイドピンは、前記質量ブロックに取り付けられていることを特徴とする請求項１に記載のリニア振動モータ。
【請求項３】
前記質量ブロックには、収容孔が設けられており、前記ガイドピンの一端は、前記収容孔内に挿入され、他の一端は、前記収容孔から伸び出ていることを特徴とする請求項２に記載のリニア振動モータ。
【請求項４】
前記収容孔の開口において、前記ガイドピンに覆設される前記軸受が取り付けられていることを特徴とする請求項３に記載のリニア振動モータ。
【請求項５】
前記弾性体には、前記ガイドピンを通すためのスルーホールが設けられていることを特徴とする請求項１に記載のリニア振動モータ。
【請求項６】
前記弾性体は渦巻バネであり、前記渦巻バネは前記ガイドピンに覆設されていることを特徴とする請求項５に記載のリニア振動モータ。
【請求項７】
前記弾性体は板バネであり、前記板バネには、前記ガイドピンを通すための前記スルーホールが設けられていることを特徴とする請求項５に記載のリニア振動モータ。
【請求項８】
前記軸受から前記収容孔の底までの長さは、前記振動ユニットが運動する時の最大移動距離より大きいことを特徴とする請求項３に記載のリニア振動モータ。
【請求項９】
前記ガイドピンの前記収容孔から伸び出した一端は、前記ケースに固定又は接触していることを特徴とする請求項８に記載のリニア振動モータ。
【発明の詳細な説明】
【技術分野】
【０００１】
本発明は、リニア振動モータに関する。
【背景技術】
【０００２】
振動モータは、電磁力の発生原理を利用して電気エネルギーを機械的エネルギーに変換する部品である。振動モータは、通常、無音の受信信号を発生させるように、携帯電話などに取り付けられるため、外部の音による他の人への迷惑が防止される。振動モータは、主として回転振動モータとリニア振動モータに分けられる。その中で、回転振動モータの場合では、重量不均衡のローターが回転することによって機械的振動を発生させる。また、リニア振動モータの場合では、モータは、電磁力によって振動されてリニア駆動されるため、機械的振動が発生する。この電磁力は、バネとそれに吊り下げられた振動子を用いて確定される共振周波数を有する。
【０００３】
出願番号が「201320780850.9」の中国特許には、振動ブロックを収容するケース、およびケースと振動ブロックの間に置かれた板バネを含むリニア振動モータが開示されており、この振動ブロックには、磁気回路システムが設けられており、振動手段は、リニアモード部品が「動作中」のときに、横向きにリニア振動を行うことになる。実際に使用する際には、振動手段は、横向きにリニア振動を行うときに、上がり又は下がりのようなシフト振動が生じることがあり、これは、磁気回路のケースにおける位置の安定性を厳重に影響するとともに、製品の信頼性低下を招くことになるため、新しい構造を有するリニア振動モータを研究する必要がある。
【発明の概要】
【０００４】
本発明は、ケース内において振動ユニットの位置が安定しないという問題に鑑みて、振動ユニットの運動軌跡が制限されるリニア振動モータを提供している。
【０００５】
上記の技術問題を解決するために、本発明に係わるリニア振動モータは、収容スペースが設けられているケースと、この収容スペースに収容されている振動ユニットと、このリニア振動モータの振動方向であって前記ケースと振動ユニットの間にある弾性体とを含むリニア振動モータであって、前記リニア振動モータは、ガイドピンをさらに含み、このガイドピンは、前記リニア振動モータの振動方向において前記ケースと振動ユニットの間に置かれて、このガイドピンは、軸受によって前記振動ユニットに接触し、前記振動ユニットは、このガイドピンに沿って往復運動を行う。
【０００６】
本発明の更なる改良としては、振動ユニットは、振動方向においてこの振動ユニットの両端にある質量ブロックと、この質量ブロックの間に置かれる磁気回路機構とを含み、前記ガイドピンは、前記質量ブロックに取り付けられている。
【０００７】
本発明の更なる改良としては、質量ブロックには、収容孔が設けられており、前記ガイドピンの一端は、この収容孔内に挿入され、他の一端は、この収容孔から伸び出ている。
【０００８】
本発明の更なる改良としては、収容孔の開口において、前記ガイドピンに覆設される軸受を取り付けている。
【０００９】
本発明の更なる改良としては、弾性体には、前記ガイドピンを通すためのスルーホールが設けられている
【００１０】
本発明の更なる改良としては、弾性体は渦巻バネであり、この渦巻バネは前記ガイドピンに覆設されている。
【００１１】
本発明の更なる改良としては、弾性体は板バネであり、この板バネには、前記ガイドピンを通すためのスルーホールが設けられている。
【００１２】
本発明の更なる改良としては、軸受から収容孔の底までの長さは、前記振動ユニットの運動時の最大移動距離より大きい。
【００１３】
本発明の更なる改良としては、ガイドピンの収容孔から伸び出した一端は、前記ケースに固定又は接触している。
【００１４】
本発明のリニア振動モータは、振動ユニットとケースの間にガイドピンを設置し、振動ユニットは、振動をするときにガイドピンに沿って運動する。これによって、振動ユニットの運動軌跡が制限されて、振動ユニットが振動中に上下方向に変位することができなくなり、位置の安定性が保証され、製品性能を確実に向上することに有利になる。
【図面の簡単な説明】
【００１５】
【図１】図１は本発明に係るリニア振動モータの斜視模式図である。
【図２】図２は本発明に係るリニア振動モータの一部の斜視模式断面図である。
【図３】図３は本発明に係るリニア振動モータの斜視分解図である。
【図４】図４は本発明に係るリニア振動モータの別の実施形態の斜視模式図である。
【発明を実施するための形態】
【００１６】
以下に、図１から図４および本実施形態を組み合わせて、本発明を説明する。
本発明に係るリニア振動モータ１００は、収容スペース１０が設けられているケース１と、この収容スペース１０に収容される振動ユニット２と、このリニア振動モータ１００の振動方向であってケース１と振動ユニット２の間にある弾性体と、リニア振動モータ１００の振動方向において前記ケース１と振動ユニット２の間に置かれるガイドピン４とを含む。
【００１７】
ケース１は、振動ユニット２を支持するスタンド１２と、このスタンド１２上に覆い被せられてスタンド１２と組み合わせて、振動ユニット２を収容する収容スペース１０が形成されるカバー１１を含む。
【００１８】
振動ユニット２は、水平方向にリニア振動を行うようにするものであり、この振動ユニット２は、磁気回路機構２１と振動方向において磁気回路機構２１の両端にある質量ブロック２２を含み、質量ブロック２２のそれぞれは、磁気回路機構２１から離れた一端に収容孔２２０が設けられている。ただし、収容孔２２０の開口において、軸受５が取り付けられる。軸受５から収容孔２２０の底部までの長さは、振動ユニット２が運動するときの最大移動距離より大きく、振動ユニット２が運動するときに軸受５が常にガイドピン４を覆うように保証される。
【００１９】
ガイドピン４の一端はケース１のスタンド１２に接触又は固定し、他の一端は質量ブロック２２の収容孔２２０内に延びて振動ユニット２と接触する。振動ユニット２はこのガイドピン４に沿って往復運動を行い、上記軸受５の外側は收容孔２２０の開口に位置決められてガイドピン４を覆って、振動ユニット２が運動するときにガイドピン４との間の摩擦力を低減させる。
【００２０】
その中で、弾性体は渦巻バネ３として設けられ、この渦巻バネ３はガイドピン４に覆設され、一端がケース１のスタンド１２に当接し、他の一端が振動ユニット２の質量ブロック２２に当接して振動ユニット２の運動の回復力を提供する。この渦巻バネ３の中心径はガイドピン４の直径より大きい。
【００２１】
以下に、別の実施形態を記載する。
本発明に係る弾性体は板バネ３´として設けられ、この板バネ３´は、一端が質量ブロック２２に接続され、他の一端がケース１に接続されて振動ユニット２が運動するときの回復力を提供する。この板バネ３´には、前記ガイドピン４を通すためにスルーホール３１´が設けられている。このスルーホール３１´の直径はガイドピン４の直径より大きい。
【００２２】
上記の二つの実施形態におけるリニア振動モータ１００は、いずれもガイドピン４を設けて振動ユニット２が運動するときの軌跡を制限し、振動ユニット２の運動方向の単一性を保証するとともに、弾性体がガイドピン４に覆設されて、弾性体に提供される弾力の方向の単一性を保証し、弾性体に提供される弾力の有効性を増加させる。
【００２３】
以上に述べたのは、本発明の二つの実施形態だけに過ぎず、ここで留意すべきのは、当業者にとっては、本発明の創造構想を逸脱しない限り、種々の改良が可能であるが、これらについても本発明の保護範囲に含まれるということである。
【図１】
2017011984.tif 000003
【図２】
2017011984.tif 000004
【図３】
2017011984.tif 000005
【図４】
2017011984.tif 000006